(57)【要約】【課題】複数の異なった背糊付き積層綴じシートを机上に積み重ねたり、棚に横に並べて収納した状態で、背糊付き積層綴じシートの内容を識別することができる背糊付き積層綴じシートを提供する。【解決手段】有色背糊付き積層綴じシート１は、複数組の単位積層シート１ａ，１ｂ，１ｃ，１ｄを積層し、背面を有色背糊２で綴じ合わせたものであり、有色背糊２は、無色の背糊に、有色顔料や有色染料を混合して、所望の色を得ることができ、複数組の単位積層シート１ａ，１ｂ，１ｃ，１ｄに応じて、さらに、複数の色の有色背糊２ａを色分けして塗布してもよい。【選択図】　　　　図３
2004034358.tif 000002
【特許請求の範囲】
【請求項１】
複数枚のシートを積層し、背面を背糊で綴じ合わせてなる背糊付き積層綴じシートにおいて、前記積層綴じシートを、その種類を特定するための固有の色からなる有色背糊で綴じ合わせたことを特徴とする有色背糊付き積層綴じシート。
【請求項２】
有色背糊は、背糊付き積層綴じシートを構成する単位積層シートの内容に応じて、さらに、複数の色を色分けして塗布したことを特徴とする請求項１記載の有色背糊付き積層綴じシート。
【発明の詳細な説明】
【０００１】
【発明の属する技術分野】
本発明は、複数枚のシートを積層し、背面を背糊で綴じ合わせてなる背糊付き積層綴じシートに関する。
【０００２】
【従来の技術】
従来における、複数枚のシートを積層し、背面を背糊で綴じ合わせてなる背糊付き積層綴じシートにあっては、無色の背糊を使用して積層したシートの背面を綴じ合わせているのが一般的である。そして、積層綴じシートの表紙に、表題や作成者名などの必要な情報を表示している。
【０００３】
【発明が解決しようとする課題】
このため、従来においては、複数の異なった背糊付き積層綴じシートを机上に積み重ねたり、棚に横に並べて収納した状態では、各背糊付き積層綴じシートの種類を特定したり、いわんや、その積層綴じシートを構成する単位積層シート体の内容を識別することができず、各背糊付き積層綴じシートを引き出してその表紙を露出しなければ、積層綴じシートの種類や、その構成内容の確認ができないという不都合がある。本発明は、このような従来の不都合を解消した背糊付き積層綴じシートを提供することを目的とする。
【０００４】
【課題を解決するための手段】
この目的を達成するために、本願発明の請求項１に係る有色背糊付き積層綴じシートは、複数枚のシートを積層し、背面を背糊で綴じ合わせてなる背糊付き積層綴じシートにおいて、前記積層綴じシートを、その種類を特定するための固有の色からなる有色背糊で綴じ合わせたことを特徴とする。有色背糊は、無色の背糊に、有色顔料や有色染料を混合して、所望の色彩を得ることができるものである。
【０００５】
また、本願発明の請求項２に係る有色背糊付き積層綴じシートは、上述した構成において、有色背糊は、背糊付き積層綴じシートを構成する単位積層シート体の内容に応じて、さらに、複数の色を色分けして塗布したことを特徴とするものである。この場合の色分けは、一部に無色背糊を用いて行ってもよい。
【０００６】
【発明の実施の形態】
以下、本発明の好適な実施の形態を添付図面に基づいて詳細に説明する。ここにおいて、図１は有色背糊付き積層綴じシートの断面図、図２は同じく背面図、図３は同じく斜視図である。
【０００７】
図１に示すように、有色背糊付き積層綴じシート１は、例えば、「理科ドリル」という種類のものであって、４組の単位積層シート、例えば、「表紙シート組」１ａ，「問題シートＡ組」１ｂ，「問題シートＢ組」１ｃ，「解答シート組」１ｄを重ね合わせてなり、図２に示すように、有色背糊付き積層綴じシート１の背部右側端縁付近には、この積層綴じシートの種類を特定するための固有の色からなる有色背糊２を塗布して綴じ合わせてなり、他の種類の有色背糊付き積層綴じシート、例えば「国語ドリル」、「算数ドリル」のもの（図示せず）とは異なる色の背糊を使用している。そして、さらに、前記有色背糊２を塗布した部分以外の背部には、４組の各単位積層シート１ａ，１ｂ，１ｃ，１ｄ毎に色分けした背糊２ａ，２ｂ，２ｃ，２ｄが塗布されている。
そして、図３に示すものは、有色背糊付き積層綴じシート１の全体を表す斜視図であって、各単位積層シート１ａ，１ｂ，１ｃ，１ｄの表紙となる最上位のシートの表面には、表題３及び作成者名４を表示している（単位積層シート１ａについてのみ図示）。
【０００８】
有色背糊２，２ａ，２ｂ，２ｃ，２ｄは、公知の背糊に有色顔料や有色染料を混合して作ることができ、上述の例では、５色の顔料や染料を混合したり、同一色でも濃度や明度を変えることによって５つの色分けをすればよいものである。背糊としては、公知のポリエチレン樹脂等のホットメルト系接着剤や、アクリル樹脂等を主成分とする水系エマルジョンタイプの糊を使用できる。なお、ホットメルト系接着剤を用いる場合には、固形のペレット状のものを所定温度に加熱して溶融し、液状のホットメルト糊として使用するとよい。
【０００９】
有色背糊の塗布は、公知の方法で行えばよいが、例えば、各単位積層シート１ａ，１ｂ，１ｃ，１ｄをクランプして、塗布ローラ上を移動し、背糊２，２ａ，２ｂ，２ｃ，２ｄを背面の所定部分に塗布すればよい。また、塗布した背糊２，２ａ，２ｂ，２ｃ，２ｄを、ドクターブレードにより各単位積層シート１ａ，１ｂ，１ｃ，１ｄ間に押し込みながら、余分な背糊２，２ａ，２ｂ，２ｃ，２ｄを掻き取るようにすると、各単位積層シート１ａ，１ｂ，１ｃ，１ｄの接着がより確実なものとなり、不用意に離反することがない。
【００１０】
本実施形態は以上のように構成したので、机上に多種類の背糊付き綴じ合わせシートを積み重ねたり、棚に多種類の背糊付き綴じ合わせシートを横に並べて収納した場合でも、有色背糊付き綴じ合わせシート１は、その種類を特定するための固有の色からなる有色背糊で色分けされているので、他の背糊付き綴じ合わせシートと容易に識別することができる。さらに、有色背糊付き積層綴じシート１を構成する単位積層シート１ａ，１ｂ，１ｃ，１ｄの内容に応じて、さらに、複数の色を色分けして塗布すれば、その構成内容も識別できる。したがって、例えば、この有色背糊付き綴じ合わせシート１を試験問題用紙に適用すると、試験課目別に背糊の色や塗布パターンを変えることにより、課目毎の識別が容易になるものである。
【００１１】
なお、本発明は、上述の実施形態に限定されるものではなく、例えば、有色背糊２を、一色でなく多色を連設して構成し、さらに複数の部分に区分けして、より詳細かつ多くの種類に対応することもできる。さらに、綴じ合わせる単位積層シートの組数が四組に限らないことはもちろんである。
【００１２】
【発明の効果】
以上のように、本発明の請求項１に記載の有色糊付き綴じ合わせシートによれば、積層綴じシートを、その種類を特定するための固有の色からなる有色背糊で綴じ合わせた構成としたので、背糊の色によって綴じ合わせシートの種類を特定でき、机上に多種類の背糊付き綴じ合わせシートを積み重ねたり、棚に多種類の糊付き綴じ合わせシートを横に並べて収納した場合でも、所望の種類の綴じ合わせシートを容易、かつ確実に特定できるという効果を奏する。
【００１３】
また、本発明の請求項２に記載の有色糊付き綴じ合わせシートによれば、上述した効果に加えて、背糊付き積層綴じシートを構成する単位積層シートの内容に応じて、複数の色を色分けしたことによって、さらに、その構成内容も識別できるという、さらなる効果を奏する。
【図面の簡単な説明】
【図１】有色背糊付き積層綴じシートの断面図。
【図２】同じく背面図。
【図３】同じく斜視図。
【符号の説明】
１　　　有色背糊付き綴じ合わせシート
１ａ，１ｂ，１ｃ，１ｄ　　　単位積層シート
２，２ａ，２ｂ，２ｃ，２ｄ　　　有色背糊
【図１】
2004034358.tif 000003
【図２】
2004034358.tif 000004
【図３】
2004034358.tif 000005